【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  ａ．第１平面に磁気ディスクを回転できるように支える支持組立品を持った基盤；
ｂ．磁気ディスクに対し、第１平面に平行な並進軸に沿って移動可能な磁気ヘッド；及び、
ｃ．磁気ディスクを基準にして、予め決められた基盤に対する位置に、前記並進軸に沿って磁気ヘッドを位置付ける位置決め装置であって：
i．磁気ヘッドが固定されたヘッド支持組立品であって、直線アクチュエーターにより前記基盤を基準に加えられた並進力に応答して、前記並進軸に沿って移動可能なヘッド支持組立品；
ii．第１平面に平行な第２平面上で、並進軸に垂直な偏揺れ軸の周りの、前記ヘッド支持組立品の偏揺れを表す偏揺れ信号を生成する方向検出器；及び、
iii．前記偏揺れ信号への機能的な応答で、磁気ヘッドが予め決められた位置に実質的に位置するまで、前記ヘッド支持組立品を第２平面内で選択的に回転動作させる偏揺れ修正メカニズムを備える位置決め装置を備える磁気ヘッド及びディスクテスター。
【請求項２】  直線アクチュエーターが：
ａ．制御システムにより機能的に制御される、前記基盤上のモーター；
ｂ．前記並進軸の方向に配置され、前記モーターにより選択的に回転される親ネジ；及び、
ｃ．前記ヘッド支持組立品にしっかりと固定されたナットであって、親ネジの回転が前記ヘッド支持組立品の並進軸に沿った直線の移動を生じさせるように、親ネジがその中に回転できるように取付けられるナットを備える、請求項１に記載の磁気ヘッド及びディスクテスター。
【請求項３】  ヘッド支持組立品が：
ａ．並進軸の方向に移動可能な可動台；
ｂ．前記可動台に付けられ、前記可動台を基準に並進軸に沿って移動可能な連接板を持った細かな位置決め装置；及び、
ｃ．磁気ヘッドが細かな位置決め装置への応答で前記並進軸に沿って動くように、前記磁気ヘッドが取付けられた、前記細かな位置決め装置に固定されたアームを備える、請求項１に記載の磁気ヘッド及びディスクテスター。
【請求項４】  細かな位置決め装置が変形可能体であり、その変形可能体の変形が前記アームの移動を生じさせる、請求項３に記載の磁気ヘッド及びディスクテスター。
【請求項５】  変形可能体が：
ａ．前記可動台に固定された下部の連接板；及び、
ｂ．アームが固定される上部の連接板であって、それの動作を通して下部の連接板と実質的に平行のまま、前記下部の連接板を基準に前記並進軸に沿って移動可能な上部の連接板を持った４つの連接板の平行四辺形構成の変形可能体である、請求項４に記載の磁気ヘッド及びディスクテスター。
【請求項６】  上部の連接板が並進軸に対し横の方向に互いにオフセットを持った（離れた）左の側部及び右の側部を備え、
方向検出器が：
ａ．前記上部の連接板の動きに応答して、並進軸に対し平行な第１軸に沿って移動可能な、前記上部の連接板の右側部に固定された第１エンコーダー；及び、
ｂ．前記第１エンコーダーの動きに関係した位置に固定しており、前記上部の連接板の第１側部の第１軸に沿った移動を表す第１信号を生成し、その第１移動信号を制御システムへ送信するために、第１エンコーダーと機能的に連絡を持つ第１検出器を備える、請求項５に記載の磁気ヘッド及びディスクテスター。
【請求項７】  第１エンコーダーが光学直線エンコーダーであり、第１検出器が光学検出器である、請求項６に記載の磁気ヘッド及びディスクテスター。
【請求項８】  方向検出器がさらに：
ｃ．前記上部の連接板の動きに応答して、並進軸に対し平行な第２軸に沿って移動可能な、前記上部の連接板の左側部に固定された第２エンコーダー；及び、
ｄ．前記第２エンコーダーの動きに関係した位置に固定しており、前記上部の連接板の左側部の第２軸に沿った移動を表す信号を生成し、その第２移動信号を制御システムへ送信するために、第２エンコーダーと機能的に連絡を持つ第２検出器を備える、請求項６に記載の磁気ヘッド及びディスクテスター。
【請求項９】  第２エンコーダーが光学直線エンコーダーであり、第２検出器が光学検出器である、請求項８に記載の磁気ヘッド及びディスクテスター。
【請求項１０】  偏揺れ修正メカニズムが：
ａ．制御システムによる独立の制御下におかれ、ヘッド支持組立品の第１側部と機能的な連絡を持ち、前記第１信号への応答で、第２平面内で偏揺れ軸の周りを前記ヘッド支持組立品を選択的に移動させる第１移動器を備える、請求項１に記載の磁気ヘッド及びディスクテスター。
【請求項１１】  第１移動器が第１アクチュエーターである、請求項１０に記載の磁気ヘッド及びディスクテスター。
【請求項１２】  第１アクチュエーターが第１圧電アクチュエーターである、請求項１１に記載の磁気ヘッド及びディスクテスター。
【請求項１３】  偏揺れ修正メカニズムがさらに：
ｂ．制御システムによる独立の制御下におかれ、ヘッド支持組立品の第２側部と機能的な連絡を持ち、前記第２信号への応答で、第２平面内で偏揺れ軸の周りを前記ヘッド支持組立品を選択的に移動させる第２移動器を備える、請求項１０に記載の磁気ヘッド及びディスクテスター。
【請求項１４】  第２移動器が第２アクチュエーターである、請求項１３に記載の磁気ヘッド及びディスクテスター。
【請求項１５】  第２アクチュエーターが第２圧電アクチュエーターである、請求項１４に記載の磁気ヘッド及びディスクテスター。
【請求項１６】  制御システムが閉ループ制御システムである、請求項１に記載の磁気ヘッド及びディスクテスター。
【請求項１７】  Ａ．磁気ディスクを基準平面に回転できるように支えるためのディスク支持組立品を含む基盤；及び、
Ｂ．磁気ヘッドを前記磁気ディスクに対し予め決められた位置に保持するためのヘッド支持組立品であって：
i．前記基盤に配置され、前記基準平面に平行な基準軸に沿ってスライドする動きに適合した可動台と、前記可動台を前記基盤を基準に前記基準軸に沿って選択的に位置付けするための、（可動台に）関連した直線アクチュエーター；
ii．前記可動台に配置され、前記可動台に付けられた片側の面と、前記可動台を基準に前記基準軸に平行な軸に沿って移動可能な反対側の面を持った変形可能体；
iii．前記ヘッドを前記変形可能体の前記反対側の面に結合させるためのカプラー；
iv．前記反対側の面に前記可動台を基準にして前記基準軸の方向に選択的に第１力を加えるために、前記反対側の面の第１点と前記可動台との間に位置する第１駆動部材；及び、
v．前記反対側の面に前記可動台を基準にして前記基準軸の方向に選択的に第２力を加えるために、前記反対側の面の第２点と前記可動台との間に位置する第２駆動部材を備え、そこにおいて、第１点と第２点が互いに基準軸に対し横の方向にオフセットを持った（離れた）ヘッド支持組立品を備える、磁気ヘッド及びディスクテスター。
【請求項１８】  前記変形可能体の前記反対側の面の、前記基準平面に垂直な軸の周りの角度の方位を表す信号を発生するための検出器をさらに備える、請求項１７に記載の磁気ヘッド及びディスクテスター。
【請求項１９】  前記磁気ヘッドを前記磁気ディスクを基準にして、前記予め決められた位置へ駆動するため、前記角度の方位信号及び前記予め決められた位置を表す信号に応答するフィードバックネットワークをさらに備える、請求項１８に記載の磁気ヘッド及びディスクテスター。
【請求項２０】  前記第１駆動部材及び第２駆動部材がピエゾアクチュエーターである、請求項１７に記載の磁気ヘッド及びディスクテスター。
【請求項２１】  少なくとも１つの磁気ヘッドを少なくとも１つの磁気ディスクと共にテストするための磁気ヘッド及びディスクテスターであって：
ａ．静止した基盤と、前記磁気ディスクを保持し、回転させるための、前記静止基盤上の手段；
ｂ．前記磁気ヘッドを前記磁気ディスクに対して大まかに位置付けするためのメカニズムであって、前記静止基盤に対し移動可能なスライドと、前記スライドを前記静止基盤に対し直線上に動かすための第１駆動手段とを備えた前記メカニズム；及び、
ｃ．前記磁気ヘッドの前記磁気ディスクに対する細かな位置付けのためのメカニズムであって：
i．前記スライドに固く取付けられた変形可能体であって、左側部及び右側部を持ち、前記磁気ヘッドを固く保持する上部の板と、前記スライドに固く取付けられた下部の板とを持った実質的に平行四辺形の形態で作られた前期変形可能体；
ii．前記変形可能体の前記上部の板の前記左側部と前記スライドに対して静止している上部との間に設置され、前記変形可能体の前記上部の板の前記左側部を前記第１駆動手段と同じ方向に動かすために使用される第２駆動手段；
iii．前記変形可能体の前記上部の板の前記右側部と前記スライドに対して静止している上部との間に設置され、前記変形可能体の前記上部の板の前記右側部を前記第１駆動手段と同じ方向に動かすために使用される第３駆動手段；及び、
iv．前記変形可能体の前記上部の板の前記左側部及び右側部の位置を測定するための手段をさらに備える前記メカニズムを備える磁気ヘッド及びディスクテスター。
【請求項２２】  前記第１駆動手段が、前記静止基盤に取付けられたステップモーター、前記ステップモーターにより回転される親ネジ、及び前記スライドに固定されたナットを備える、請求項２１に記載の磁気ヘッド及びディスクテスター。
【請求項２３】  前記変形可能体の前記上部の板の左側部及び右側部の位置を測定するための手段が、２つの光学直線エンコーダーを備える、請求項２１に記載の磁気ヘッド及びディスクテスター。
【請求項２４】  前記第２及び第３駆動手段が、各々ピエゾアクチュエーターを備える、請求項２１に記載の磁気ヘッド及びディスクテスター。
【請求項２５】  前記変形可能体の前記上部の板の前記左側部及び右側部の位置を制御するために閉ループシステムが使用される、請求項２１に記載の磁気ヘッド及びディスクテスター。
【請求項２６】  前記閉ループシステムが、前記変形可能体の前記上部の板の前記左側部の位置を測定するための前記手段を使用して前記第２駆動手段を制御するサブシステムと、前記変形可能体の前記上部の板の前記右側部の位置を測定するための前記手段を使用して前記第３駆動手段を制御するサブシステムとの、２つの独立なサブシステムを備える、請求項２５に記載の磁気ヘッド及びディスクテスター。
【請求項２７】  前記閉ループシステムが、前記変形可能体の前記上部の板の前記左側部及び前記右側部の位置を測定するための両方の前記手段の読み取り値の重みつけ合計を使用して、対応する駆動手段を制御する２つの独立なサブシステムを備える、請求項２５に記載の磁気ヘッド及びディスクテスター。